(57)【特許請求の範囲】
【請求項１】
開口領域を有し天井スラブの下方に設けた天井面材と、該天井面材の上方に設置され一端が給水配管に接続された樹脂管と、該樹脂管の他端に取付けられ前記天井面材に設けた取付穴から露出するスプリンクラヘッドとを備え、
前記樹脂管の前記天井面材の開口領域上に位置する部分をカバー部材によってカバーしたことを特徴とするスプリンクラ消火設備。
【請求項２】
前記天井面材を保持する軽量天井材を設け、該軽量天井材にカバー部材を固定したことを特徴とする請求項１記載のスプリンクラ消火設備。
【請求項３】
前記カバー部材は、樹脂管を保持する保持部と、該保持部を軽量天井材に固定する固定部とを有することを特徴とする請求項２記載のスプリンクラ消火設備。
【請求項４】
保持部は、樹脂管を水平方向に保持し、かつ該樹脂管の水平方向の移動のみを許容するものであることを特徴とする請求項３記載のスプリンクラ消火設備。
【発明の詳細な説明】
【０００１】
【発明の属する技術分野】
本発明は、スプリンクラ消火設備に係り、さらに詳しくは、給水配管とスプリンクラヘッドとを樹脂管で接続したスプリンクラ消火設備に関するものである。
【０００２】
【従来の技術】
近年、高層ビル等においては、図１５に示すようなシステム天井が広く採用されている。このシステム天井は、所定の間隔で設置した軽量天井材５をそれぞれ吊り金具（図示せず）により天井スラブに吊下させ、これら軽量天井材５の間に所定の長さ、幅を有する天井面材２を係止させて天井張りを行い、天井を構築している。
【０００３】
このようなシステム天井において、軽量天井材５は一般に断面Ｔ形のバー（以下、Ｔバーという）からなり、かつ、場所によってはＴバー５間の間隔を狭めて照明器具３を設置できるように、一対のＴバー５ａ，５ｂを並設して構成されている。この一対のＴバー５ａ，５ｂは、フランジの一方で天井面材２や照明器具３を支持すると共に、フランジの他方が突き合わせ状態で配置され、これら突き合わせたフランジの端部間には、通常２５ｍｍ程度のすき間６（以下、スリットという）が形成され、このスリット６から排気や換気が行われている。
【０００４】
【発明が解決しようとする課題】
ところで、天井裏にスプリンクラ消火設備を設置する場合、システム天井に上述のようなスリット６があると、樹脂製の配管（以下、樹脂管という）がこのスリット６を横断して敷設されることがある。
そのため、若しスリット６の直下又はその近傍で火災が発生すると、このスリット６から火炎あるいは高温の熱気流が吸引されるため、樹脂管が直接火炎にさらされあるいは熱気流により加熱されることになり、破裂あるいは燃焼して消火水が漏水するばかりでなく、スプリンクラヘッドに消火水を送水できなくなるという重大な事故が発生するおそれがある。
【０００５】
本発明は、上記の課題を解決するためになされたもので、樹脂管の天井面材に形成された開口領域を横断する部分をカバー部材でカバーすることにより、火災の発生によるこの部分の破裂や燃焼などを防止したスプリンクラ消火設備を得ることを目的としたものである。
【０００６】
本発明に係るスプリンクラ消火設備は、開口領域を有し天井スラブの下方に設けた天井面材と、該天井面材の上方に設置され一端が給水配管に接続された樹脂管と、該樹脂管の他端に取付けられ前記天井面材に設けた取付穴から露出するスプリンクラヘッドとを備え、前記樹脂管の前記天井面材の開口領域上に位置する部分をカバー部材によってカバーしたものである。
【０００７】
また、上記の天井面材を保持する軽量天井材を設け、この軽量天井材にカバー部材を固定したものである。
【０００８】
上記のカバー部材は、樹脂管を保持する保持部と、この保持部を軽量天井材に固定する固定部を有するものである。
【０００９】
上記の保持部は、樹脂管を水平に保持し、かつこの樹脂管の水平方向の移動のみを許容するものである。
【００１２】
【発明の実施の形態】
［実施形態１］
図１は本発明の実施形態１の説明図、図２は図１の要部の拡大図、図３は図２のＡ−Ａ拡大断面図である。図において、１は天井スラブ、２は例えばＴバーの如き軽量天井材５によって保持された天井面材で、後述のスプリンクラヘッドを取付けるための取付穴２ａが設けられている。６は天井面材２に形成された開口領域で、ここでは並設された一対の軽量天井材（以下、Ｔバーという）５ａ，５ｂの間に形成されたスリットをいう。
【００１３】
１１は天井スラブ１の下方に、吊り金具（図示せず）に固定されてほぼ水平に設置された給水配管、１２はこの給水配管１１に設けられたほぼＴ字状の分岐管で、接続口１３が設けられている。
１４は平面四角形でほぼ箱状のヘッダで、上面中央部には接続口１５が設けられており、分岐管１２と接続管１７で接続されている。１６ａ，１６ｂ，１６ｃ，１６ｄ（１６ｄは図示せず）は四辺の側壁に設けられ、後述の配管用の樹脂管が接続される排出口である。
【００１４】
２１は両端部に接続口２２ａ，２２ｂを有するエルボで、天井面材２に設けた取付穴２ａに対応して設置され、固定金具８により天井裏に設けたチャンネル等７に固定されている。２３は一方の接続口２２ｂに接続されたスプリンクラヘッドである。
【００１５】
３１は樹脂管で、両端部に継手部３２を有し、一端はヘッダ１４の排出口（例えば、１６ａ）に接続され、他端はエルボ２１の接続口２２ａに接続される。なお、この樹脂管３１は、例えば、蛇腹状又はスパイラル状のさや管内に収容して二重管構造にしてもよい。
【００１６】
３３は樹脂管３１のＴバー５ａ，５ｂで形成したスリット６を横断する領域に取付けられたカバー部材で、例えば、耐火性に優れ、かつ熱伝導率の低い樹脂材料からなり、その内径Ｄ2 が樹脂管３１の外径Ｄ1 とほぼ等しいか又は若干小さく、円周のほぼ４分の３の円弧状に形成されたスリット６の幅より長い保持部３４と、保持部３４の下面に設けられ、Ｔバー５ａ，５ｂに係止する固定部３５とを一体成形したものである。
【００１７】
次に、本実施形態の施工手順の一例について説明する。なお、施工にあたっては、分岐管１２が設けられた給水配管１１は天井スラブ１から垂下した吊り金具（図示せず）に固定されており、また、ヘッダ１４は接続管１７により分岐管１２に接続されていて、天井スラブ１の下方にはＴバーの如き軽量天井材５が設けられているものとする。
【００１８】
まず、所定の位置にエルボ２１を配設し、固定金具８によりチャンネル等７に固定する。次に、Ｔバー５ａ，５ｂで形成されたスリット６の樹脂管３１が横断する位置に、スリット６と直交してカバー部材３３を取付ける。取付けにあたっては、その固定部３５をＴバー５ａ，５ｂの頭部に係止させる。
【００１９】
ついで、樹脂管３１の一方の継手３２をヘッダ１４の排出口（例えば、１６ａ）に接続し、他方の継手３２をエルボ２１の接続口２２ａに接続する。そして、スリット６上において、樹脂管３１をカバー部材３３の保持部３４にその弾性を利用して嵌合すれば、ワンタッチで装着することができ、樹脂管３１の敷設を完了する。
【００２０】
上記のように構成した本実施形態によれば、スリット６にきわめて簡単な構造のカバー部材３３を取付けることにより、樹脂管３１をワンタッチでカバー部材３３に装着できるので、取付けがきわめて容易である。
また、スリット６の直下又はその近傍に火災が発生しても、樹脂管３１は耐火性に優れかつ熱伝導率の低い樹脂材料からなるカバー部材３３によってカバーされているので、破裂したり燃焼したりするおそれがない。
さらに、カバー部材３３はＴバー５ａ，５ｂに固定されているので、これに嵌合された樹脂管３１も固定されていることになり、放水時などに樹脂管３１が動揺するのを防止できる。
【００２１】
［実施形態２］
図４は本発明の実施形態２の要部を示す縦断面図、図５はそのＢ−Ｂ断面図である。なお、実施形態１と同じ部分にはこれと同じ符号を付し、説明を省略する。
３６はＴバー５ａ，５ｂによって形成されたスリット６を跨いで設置された箱状のカバー部材で、ほぼ中央部から２分割されてその下部を構成する保持部３７と、この保持部３７の下面に一体に設けられた固定部３５と、上部を構成する蓋部３８とからなっている。
【００２２】
蓋部３８はヒンジ４１により保持部３７に開閉可能に取付けられ、蓋部３８を閉じたときは保持部３７にロックしうるようになっている。そして、保持部３７と蓋部３８のスリット６と平行な側壁には、両者を一体として、樹脂管３１の外径とほぼ等しいか又は若干大きい開口部３９，４０が設けられている（したがって、保持部３７と蓋部３８の側壁には、それぞれほぼ半円状の開口部３９，４０が設けられている）。
【００２３】
上記のような本実施形態においては、先ず、スリット６上の樹脂管３１が横断する位置にスリット６と直交してカバー部材３６を配置し、固定部３５をＴバー５ａ，５ｂに係止させて固定する。
そして、蓋部３８を開放し、両端部がヘッダ１４及びエルボ２１に接続された樹脂管３１を保持部３７の開口部３９に嵌合し、蓋部３８を閉じてロックする。
これにより、樹脂管３１のスリット６を横断する領域は、カバー部材３６内に収容されて開口部３９，４０に挾持され、安定して保持される。
本実施形態の作用、効果は、実施形態１の場合とほぼ同様である。
【００２４】
［実施形態３］
図６は本発明の実施形態３の要部を示す縦断面図、図７はその平面図である。
なお、実施形態１，２と同じ部分にはこれと同じ符号を付し、説明を省略する。
３６ａは実施形態２のカバー部材３６とほぼ同じ構造のカバー部材であるが、底面に設けた固定部３５を省略し、保持部３７のスリット６と平行な側壁の下端部に固定部４２を設けたものである。
【００２５】
４５は耐火性に優れ、かつ熱伝導率の低い合成樹脂板又は金属板からなり、固定部４２を含むカバー部材３６ａの底面とほぼ同じ大きさの取付板で、スリット６を跨いでＴバー５ａ，５ｂ上に載置され、例えば、タッピンねじ等によりＴバー５ａ，５ｂに固定される。なお、Ｔバー５ａ，５ｂへの固定手段は上記に限定するものではなく、取付板４５の下面に実施形態２で示したような固定部３５を設け、これをＴバー５ａ，５ｂに係止させるなど、他の手段を用いてもよい。
【００２６】
上記のように構成した本実施形態においては、先ず、スリット６の樹脂管３１が横断する位置に、スリット６と直交して取付板４５を配設し、Ｔバー５ａ，５ｂに固定する。そして、この取付板４５の上にカバー部材３６ａを載置してその固定部４２を取付板４５にねじ止めして固定する。
【００２７】
図８は本実施形態の他の例の縦断面図である。本例は取付板４５の下面に凹部４５ａを設け、Ｔバー５ａ，５ｂ及びその両側の天井面材２上に載置し、天井面材２にねじ止めして固定したものである。なお、本実施形態においては、取付板４５を設けたので、保持部３７の底板は、図８に示すように省略してもよい。
本実施形態の作用、効果は、実施形態２の場合とほぼ同様である。
【００２８】
［実施形態４］
図９は実施形態４の要部の縦断面図である。本実施形態は、実施形態３における取付板４５を省略し、固定部４２を含む保持部材３７の下面に凹部４２ａを設け、Ｔバー５ａ，５ｂ及びその両側の天井面材２上にカバー部材３６ａを載置し、その固定部４２を直接天井面材２にねじで固定したものである。
本実施形態の作用、効果は、実施形態３の場合とほぼ同様であるが、取付板４５を省略することができる。
【００２９】
［実施形態５］
図１０は実施形態５の要部を示す平面図、図１１は図１０の正面図、図１２は図１０のＣ−Ｃ断面図である。なお、実施形態１〜４と同じ部分にはこれと同じ符号を付し、説明を省略する。
７ａはＴバー５ａ，５ｂの上方において、スリット６と直交して配設された例えばチャンネルの如き天井部材である。４６は耐火性にすぐれ、かつ熱伝導率の低い合成樹脂材からなるカバー部材で、図１３に示すように、長手方向に樹脂管３１の外径とほぼ等しいか又は僅かに小さい断面円形で上部が開口された嵌合溝４８を有する保持部４７と、保持部４７の一方の縁部から上方に延出されたのち外方にほぼＬ字状に折曲げられた固定部４９とを一体成形してなり、固定部４９の下方に延設された係止片５０には、内側に向う弾性が付与されている。なお、固定部４９の内のり幅は、天井部材７ａのフランジの幅とほぼ等しく形成されている。
【００３０】
上記のように構成した本実施形態においては、例えば、図１２に示すように、カバー部材４６の固定部４９を天井部材７ａに嵌合し、スリット６上にこれと直交して位置させる。
そして、両端部がヘッダ１４及びエルボ２１に接続された樹脂管３１を、カバー部材４６の嵌合溝４８に嵌合すれば、樹脂管３１をワンタッチで装着することができる。
【００３１】
図１４は本実施形態の他の例を示すもので、図１０〜図１３の例では、カバー部材４６を合成樹脂で形成したが、本例では、カバー部材５１を、耐火性に優れかつ熱伝導率の低い金属板を曲げ加工して、溝状の保持部５２と、一方の側壁の上端部を折曲げて形成した固定部５３とによって構成したものである。
そして、このカバー部材５１の固定部５３を天井部材７ａのフランジ上に係止させ、ねじで一体に固定したものである。なお、保持部５２の側壁に固定用のねじを設け、このねじの締付けにより樹脂管３１の保持力を高めるようにしてもよい。
【００３２】
以上説明したように、本発明の特長は、樹脂管が火災時の熱によって損傷するのを防止する点と、樹脂管を軽量天井材等に保持して固定する点にある。
本発明は可撓管として樹脂管を使用した場合に、最も大きな効果を有するものであるが、可撓管としては樹脂製以外のものであってもよく、例えばステンレス製などの金属製の可撓管に対しても本発明を適用することができる。可撓管が金属製であっても、スプリンクラヘッドの放水時に可撓管が動揺するのを防止できるという効果を同様に得ることができる。
【００３３】
また、カバー部材における樹脂管の保持は、樹脂管がカバー部材から外れない程度に保持されていればよく、樹脂管がカバー部材から全く動かない程度にまで強く固定する必要はない。例えば樹脂管がＴバーに対して直交方向に移動できる程度の自由度をもたせてもよい。
このようにカバー部材がある程度のあそびをもつようにしておくと、つまり、樹脂管の水平方向の移動のみを許容できるようにしておくと、樹脂管が動くことが可能となり、例えばスプリンクラヘッドの放水時に、樹脂管が暴れてもカバー部材が外れるのを防止することができる。また、施工時において、樹脂管をカバー部材に取り付けてから、最後にスプリンクラヘッドを取り付けるという施工方法も可能となる。
【００３４】
上記の説明では、カバー部材を軽量天井材、天井面材又は天井部材に固定する場合を示したが、カバー部材を樹脂管に固定してもよい。
また、ヘッダ、エルボ等の構造、取付手段も図示のものに限定するものではなく、他の構造、他の方式のスプリンクラ消火設備にも本発明を実施することができる。
さらに、カバー部材は金属で形成してもよいが、この場合には、カバー部材と樹脂管の間に断熱材を設け、カバー部材へ熱が伝わるのを防止することが望ましい。
なお、実施形態１、２においては、カバー部材に、Ｔバーの外側に係止する固定部を設けた場合を示したが、この固定部はＴバーの内側に係止するものでもよい。Ｔバーの内側に係止する固定部の場合には、Ｔバーに天井材をのせても影響がない点で好ましい。
【００３５】
【発明の効果】
本発明に係るスプリンクラ消火設備は、開口領域を有し天井スラブの下方に設けた天井面材と、該天井面材の上方に設置され一端が給水配管に接続された樹脂管と、この樹脂管の他端に取付けられ天井面材に設けた取付穴から露出するスプリンクラヘッドとを備え、樹脂管の天井面材の開口領域上に位置する部分をカバー部材によってカバーしたので、天井面材の開口領域の直下又はその近傍で火災が発生して火炎又は熱気流が上方へ流れても、これらの熱によって樹脂管が損傷することがない。
【００３６】
また、上記のカバー部材を軽量天井材に固定し、カバー部材に樹脂管を保持する保持部を設けたので、特別な配管固定部材を設けなくても、放水時などに樹脂管が動揺するのを防止することができる。
【００３８】
上記の保持部を、樹脂管を水平方向に保持し、かつこの樹脂管の水平方向の移動のみを許容するように構成したので、放水時に樹脂管が暴れてもカバー部材から外れるのを防止することができる。また、施工時において、樹脂管をカバー部材に取付けてから、最後にスプリンクラヘッドを取付けるという施工方法も行うことができる。
【図面の簡単な説明】
【図１】本発明の実施形態１の説明図である。
【図２】図１の要部の拡大図である。
【図３】図２のＡ−Ａ断面図である。
【図４】本発明の実施形態２の要部の断面図である。
【図５】図４のＢ−Ｂ断面図である。
【図６】本発明の実施形態３の要部の断面図である。
【図７】図６の平面図である。
【図８】実施形態３の他の例の要部の断面図である。
【図９】本発明の実施形態４の要部の断面図である。
【図１０】本発明の実施形態５の要部の平面図である。
【図１１】図１０の正面図である。
【図１２】図１１のＣ−Ｃ断面図である。
【図１３】図１０のカバー部材の側面図である。
【図１４】実施形態５のカバー部材の他の例の側面図である。
【図１５】システム天井の説明図である。
【符号の説明】
２  天井面材
２ａ  取付穴
５  軽量天井材
６  スリット（開口領域）
１１  給水配管
１４  ヘッダ
２１  エルボ
２３  スプリンクラヘッド
３１  樹脂管
３３，３６，３６ａ，４６，５１  カバー部材
３４，３７，４７，５２  保持部
３５，４２，４９，５３  固定部
【図１】
0003700107.tif 000002
【図２】
0003700107.tif 000003
【図３】
0003700107.tif 000004
【図４】
0003700107.tif 000005
【図５】
0003700107.tif 000006
【図６】
0003700107.tif 000007
【図７】
0003700107.tif 000008
【図８】
0003700107.tif 000009
【図９】
0003700107.tif 000010
【図１０】
0003700107.tif 000011
【図１１】
0003700107.tif 000012
【図１２】
0003700107.tif 000013
【図１３】
0003700107.tif 000014
【図１４】
0003700107.tif 000015
【図１５】
0003700107.tif 000016